(57)【特許請求の範囲】
【請求項１】
ケーシング側面に空気取入口を備えると共に、前記ケーシング上部に温水槽を備えた冷却塔の前記温水槽の下部に取り付けられ、ケーシング内部の充填材に向けて温水を散水する散水ノズルにおいて、
前記温水槽の下部から下方に延びる柱状のブロックに、該ブロックの長さ方向に貫通する散水孔が形成され、該散水孔は、断面が半円状をなし、前記ブロックの上下両端側にそれぞれ拡径するようにテーパ状に形成されていることを特徴とする散水ノズル。
【請求項２】
請求項１に記載した散水ノズルを備えることを特徴とする冷却塔。
【発明の詳細な説明】
【０００１】
【発明の属する技術分野】
本発明は、温水と空気を直接接触させて温水の一部を気化させることにより、温水を冷却する冷水塔および冷水塔用の散水ノズルに関する。
【０００２】
【従来の技術】
図４に示すように、クロスフロー式の冷水塔（クーリングタワー）１は、図示しないケーシングの上部に温水槽２を備えると共に、ケーシング側面にルーバー３ａ付きの空気取入口３を備えている。そして、温水槽２の下部に設けた散水ノズル５からケーシング内部の充填材４に温水を散水し、充填材４の表面を流下する温水に空気取入口３から導入した空気を直接接触させることにより、温水の一部を気化させて、温水を冷却するようになっている。
【０００３】
ところで、散水ノズル５は、できるだけ均等に全周の広い範囲に散水を行うために、図５（ａ）、（ｂ）に示すように、上端ベース部５ａの散水孔５ｂの下方に、上下に適当な間隔をおいて円環状の飛散板５ｃ、５ｄ、５ｅを水平に配設したりしている。５ｆは、飛散板５ｃ、５ｄ、５ｅを保持するために上端ベース部５ａから垂下されたリブで、円周方向に間隔をおいて配置されている。図５（ｂ）中の矢印は温水の流れを示し、図５（ｃ）は散水方向Ｓと散水範囲Ｈを示す。従って、充填材４に対して、温水を均等に分布させながら振り掛けることができるものとなっている。
【０００４】
【発明が解決しようとする課題】
しかし、空気取入口３の近傍では、散水ノズル５の全周方向への散水性能が、却ってルーバー３ａの隙間から外部に温水を飛散させる原因になっていた。
【０００５】
本発明は、上記事情を考慮し、外部への温水の飛散防止を図った冷水塔およびそのための散水ノズルを提供することを目的とする。
【０００６】
【課題を解決するための手段】
請求項１の発明は、ケーシング側面に空気取入口を備えると共に、前記ケーシング上部に温水槽を備えた冷却塔の前記温水槽の下部に取り付けられ、ケーシング内部の充填材に向けて温水を散水する散水ノズルにおいて、前記温水槽の下部から下方に延びる柱状のブロックに、該ブロックの長さ方向に貫通する散水孔が形成され、該散水孔は、断面が半円状をなし、前記ブロックの上下両端側にそれぞれ拡径するようにテーパ状に形成されていることを特徴とする。
【０００７】
請求項２の発明は、請求項１に記載した散水ノズルを備える冷却塔に関する。
【０００８】
【発明の実施の形態】
以下、本発明の一実施例を図面に基づいて説明する。
図１（ａ）は冷水塔１１の概略構成を示す平面図、図１（ｂ）は同側面図である。この冷水塔１１は、図示しないケーシング上部に矩形状の温水槽２、ケーシング両側面にルーバー３ａ付きの空気取入口３を備え、温水槽２の下部に縦横多数列に配設した散水ノズル１５、５からケーシング内部の充填材４に均等な分布で温水を散水し、充填材４の表面を流下する温水に空気取入口３から導入した空気を直接接触させることにより、温水の一部を気化させて、温水を冷却するものである。空気取入口３から取り入れた空気は、ケーシング内に内蔵した充填材４中を水平に流通し、ケーシング上部中央に設けた図示略のファン付排気口から外気中に放出される。
【０００９】
この場合、空気取入口３に隣接する一番端の列の散水ノズルには、図２に示す特殊型の散水ノズル１５が用いられ、その他の空気取入口３に隣接しない列の散水ノズルには、従来同様の全周方向散水型の散水ノズル５が用いられている。
【００１０】
特殊型の散水ノズル１５は、図２（ａ）、（ｂ）に示すように、従来の全周方向散水型の散水ノズル５の外周面の半分を、半円筒状の飛散防止板（飛散防止部材）１６で覆った形状にすることにより、図２（ｃ）に示すように、散水方向Ｓおよび散水範囲Ｈを片側半分に制限したものである。飛散防止板１６を設ける範囲としては、図示例では、最下段の飛散板５ｅと中間段の飛散板５ｄの間を除いているが、その範囲１８を覆うように飛散防止板１６を延長してもよい。設ける範囲は、その都度状況に応じて決めるのが望ましい。なお、飛散防止板１６は、散水ノズル１５の本体部と別に製作して後から取り付けてもよいし、本体部の製作時に同時に一体形成してもよい。実施例の冷水塔１１では、この特殊型の散水ノズル１５を、空気取入口３側に飛散防止板１６が向くようにして、全数取り付けている。
【００１１】
このように空気取入口３に隣接する一番端の列に、散水方向を制限した特殊型の散水ノズル１５を設けたことにより、空気取入口３から外部への温水の飛散を防止することができる。
【００１２】
なお、この端部の列でも、温水は半周の範囲で充填材４に均等に散水されるので、冷却性能的にはほとんど問題がない。また、外側へ向けて飛散した温水がルーバー３ａに当たって撥ね返り、充填材４の乾式部に回り込む等の問題も解消できる。また、特殊型の散水ノズル１５は、充填材４の乾式部へ温水が回り込まないよう散水方向を制限したい部分、つまり空気取入口３に隣接する部分でない箇所にも、任意に適用することができる。
【００１３】
また、この実施例では、散水ノズル１５に飛散防止板１６を一体化させているが、散水ノズル１５とは別に飛散防止板を設けてもよい。たとえば、図１の例では、端部の散水ノズル列（図中の散水ノズル１５の列）の外側に、帯板状の長い飛散防止板を全部の散水ノズルの空気取入口３側の面を覆うように配置することもできる。
【００１４】
次に、散水方向を片側半周に制限した別の散水ノズルの例を、図３を参照しながら説明する。なお、図（ａ）、（ｂ）の上側の図は上から見た平面図、その他の図は側面図である。
【００１５】
まず、図３（ａ）に示す散水ノズル２５は、高さの低い円柱状の上端ベース部２５ａの下面に、片側半分をカバーする半円柱状のブロック（飛散防止部材）２６を設け、そのブロック２６を設けない側に対応させて上端ベース部２５ａに半円状の散水孔２５ｂを設け、その半円状の散水孔２５ｂの下方に、ブロック２６に支持させて半円環状の飛散板２５ｃ、２５ｄ、２５ｅを間隔をおいて上下に３段設けたものである。この散水ノズル２５によれば、散水孔２５ａから落下する温水を、矢印のように飛散板２５ｃ、２５ｄ、２５ｅの上面に沿って、半周の範囲で外方へ飛散させることができる。
【００１６】
次に、図３（ｂ）に示す散水ノズル３５は、最初から上端ベース部３５ａの下部に円柱状のブロック（飛散防止部材に相当）３６を設け、そのブロック３６に半円状の散水孔３５ｂを貫通形成し、この半円状の散水孔３５ｂに、上下両端が拡径するようなテーパを持たせたものである。この散水ノズル３５では、散水孔３５ｂの片側半分が実質的に閉じられた形になっているので、温水は主に残る片側半分の下方に向かって矢印のように流れる。
【００１７】
次に、図３（ｃ）に示す散水ノズル４５は、図５に示した従来の散水ノズル５の上端ベース部４５ａより下側の部分の片側半分を除去し、代わりに直径部分にリブ４７付きの垂直な飛散防止板（飛散防止部材）４６を設けたものである。上下の飛散板５ｃ、５ｄ、５ｅはリブ５ｆ以外に、垂直な飛散防止板４６で支持されている。この散水ノズルでは、片側半分が垂直な飛散防止板４６で覆われているので、温水は残る片側半分の領域を矢印のように流れる。
【００１８】
以上のように、片側半分の領域のみに温水を飛散させる構造としたので、図１の冷水塔にそのまま適用することができる。
【００１９】
【発明の効果】
以上説明したように、本発明によれば、空気取入口に隣接する散水ノズルの空気取入口側の面を飛散防止部材で覆ったので、空気取入口から外部への温水の飛散を防止することができる。また、本発明によれば、散水ノズルに飛散防止部材を一体化しているので、既設の冷水塔に取り付けることもできる。
【図面の簡単な説明】
【図１】本発明の一実施例の冷水塔の概略構成図で、（ａ）は平面図、（ｂ）は側面図である。
【図２】同冷水塔に用いられている散水ノズルを示し、（ａ）は外観側面図、（ｂ）は側断面図、（ｃ）は散水範囲を示す平面図である。
【図３】（ａ）〜（ｃ）は本発明の他の各実施例の散水ノズルを示し、（ａ）、（ｂ）図の上側の図は平面図、下側の図は側面図、（ｃ）は側面図である。
【図４】従来の冷水塔の概略構成を示す側断面図である。
【図５】従来の冷水塔に用いられている散水ノズルを示し、（ａ）は外観側面図、（ｂ）は側断面図、（ｃ）は散水範囲を示す平面図である。
【符号の説明】
２  温水槽
３  空気取入口
４  充填材
１５，２５，３５，４５  散水ノズル
１６，４６  飛散防止板（飛散防止部材）
２６，３６  ブロック（飛散防止部材）
【図１】
0003704764.tif 000002
【図２】
0003704764.tif 000003
【図３】
0003704764.tif 000004
【図４】
0003704764.tif 000005
【図５】
0003704764.tif 000006